(57)【要約】  【課題】  テレビ番組、ラジオ番組等の放送番組を放送する制作側において、視聴者の嗜好及び視聴状況を把握することが可能で、視聴者に対し放送番組を視聴する動機付けを与える通信集計方法及び通信集計システムを提供する。  【解決手段】  放送波出力装置１から出力する放送波に第１指示情報を重畳し、放送波を受信する通信装置２では、第１指示情報に基づいて関連情報装置３から第２指示情報を含む関連情報を受信し、受信した第２指示情報に基づき集計装置４に接続する。集計装置４では、接続回数を計数し、計数した接続回数に応じた特典を通信装置２に対して付与する。【選択図】      図１
2006080791.tif 000002
【特許請求の範囲】
【請求項１】
音声及び／又は画像を出力させる放送波を出力する放送波出力装置と、該放送波出力装置から出力される放送波に係る音声及び／又は画像に関連する関連情報を記録している関連情報装置と、放送波の受信及び通信網を介した前記関連情報装置との通信を行う通信装置と、該通信装置の前記関連情報装置との通信に関する集計処理を行う集計装置とを用いて通信処理及び集計処理を行う通信集計方法であって、
前記放送波出力装置は、
関連情報の通信網上での位置を指示する第１指示情報を重畳した放送波を出力し、
前記通信装置は、
受信した放送波に重畳されている第１指示情報に基づいて、前記関連情報装置に関連情報の送信を要求し、
前記関連情報装置は、
要求に対して、通信網上での前記集計装置との接続に係る位置を指示する第２指示情報を含む関連情報を前記通信装置へ送信し、
前記通信装置は、更に、
受信した関連情報に含まれる第２指示情報に基づいて、前記集計装置に対する接続処理を行い、
前記集計装置は、
前記通信装置からの接続状況を記録し、
記録した接続状況に基づく集計処理を行う
ことを特徴とする通信集計方法。
【請求項２】
音声及び／又は画像を出力させる放送波を出力する放送波出力装置と、該放送波出力装置から出力される放送波に係る音声及び／又は画像に関連する関連情報を記録している関連情報装置と、放送波の受信及び通信網を介した前記関連情報装置との通信を行う通信装置と、該通信装置の前記関連情報装置との通信に関する集計処理を行う集計装置とを備える通信集計システムであって、
前記放送波出力装置は、
関連情報の通信網上での位置を指示する第１指示情報を重畳した放送波を出力する手段を備え、
前記通信装置は、
受信した放送波に重畳されている第１指示情報に基づいて、前記関連情報装置に関連情報の送信を要求する手段を備え、
前記関連情報装置は、
要求に対して、通信網上での前記集計装置との接続に係る位置を指示する第２指示情報を含む関連情報を前記通信装置へ送信する手段を備え、
前記通信装置は、更に、
受信した関連情報に含まれる第２指示情報に基づいて、前記集計装置に対する接続処理を行う手段を備え、
前記集計装置は、
前記通信装置からの接続状況を記録する接続記録手段と、
記録した接続状況に基づく集計処理を行う集計手段と
を備える
ことを特徴とする通信集計システム。
【請求項３】
前記集計装置が備える集計手段による集計結果に基づき前記通信装置に特典を付与する特典付与手段を更に備えることを特徴とする請求項２に記載の通信集計システム。
【請求項４】
前記特典付与手段により付与される特典は、放送波又は関連情報に関連する音楽を出力させる音楽情報の送信の許可であることを特徴とする請求項３に記載の通信集計システム。
【請求項５】
前記関連情報は、前記第１指示情報が重畳される放送波に係る著作物、著作者又は実演家に対応付けられている提供情報を含むことを特徴とする請求項２乃至請求項４のいずれかに記載の通信集計システム。
【請求項６】
前記通信装置は、自機を識別する識別情報を記録する手段を備えた携帯型電話機であり、
前記集計装置が備える接続記録手段は、前記通信装置の識別情報に対応付けて、接続回数を記録するように構成してある
ことを特徴とする請求項２乃至請求項５のいずれかに記載の通信集計システム。
【請求項７】
前記集計装置が備える接続記録手段は、前記第１指示情報が重畳される放送波に係る属性毎の接続回数を記録するように構成してあることを特徴とする請求項２乃至請求項６のいずれかに記載の通信集計システム。
【請求項８】
前記属性は、放送波に係る著作物、著作者又は実演家であることを特徴とする請求項７に記載の通信集計システム。
【発明の詳細な説明】
【技術分野】
【０００１】
本発明は、音声及び／又は画像を出力させる放送波を出力する放送波出力装置と、放送波に関連する関連情報を記録している関連情報装置と、放送波の受信及び前記関連情報装置との通信を行う通信装置と、該通信装置の通信に関する集計処理を行う集計装置とを用いた通信集計方法、及び該通信集計方法を適用した通信集計システムに関し、特にチューナ機能を備える携帯型電話機を用いた通信装置の通信に関する集計を行う通信集計方法及び通信集計システムに関する。
【背景技術】
【０００２】
従来、商業的に行われているラジオ、テレビ等の放送番組を視聴する視聴者は、単に番組を視聴するのみであった。最近では、文字多重放送により、放送番組に関する情報を文字情報として提供する方も実用化されている。また放送番組の放送中に放送されている音楽に関する音楽データを入手することができる音楽情報配信システムも提案されている（例えば特許文献１参照）。
【特許文献１】特開２００３−８４７７７号公報
【発明の開示】
【発明が解決しようとする課題】
【０００３】
しかしながら視聴者が視聴するのみの一方向の放送では、番組の制作側及びスポンサーにとって視聴者の嗜好及び視聴状況を十分に把握することができないという問題がある。
【０００４】
また視聴者にとっても放送番組に関する文字情報を入手し、また音楽データを入手することができる程度では、視聴者の興味を十分に引くだけのインセンティブが無いという問題がある。
【０００５】
本発明は斯かる事情に鑑みてなされたものであり、テレビ、ラジオ等の放送波にＵＲＬ等の第１指示情報を重畳し、放送波を受信したチューナ機能付き携帯型電話機等の通信装置にて、重畳されている第１指示情報に基づき受信した関連情報に含まれる第２指示情報が示すウェブページに接続し、該接続に基づく集計処理を行うことにより、番組の制作側等では視聴者の嗜好及び視聴状況を詳細に把握することが可能な通信集計方法、及び該通信集計方法を適用した通信集計システムの提供を主たる目的とする。
【０００６】
さらに本発明では集計結果に基づき特典を付与することにより、視聴者の興味を引き、放送番組を視聴する動機付けとすることが可能な通信集計システム等の提供を他の目的とする。
【課題を解決するための手段】
【０００７】
第１発明に係る通信集計方法は、音声及び／又は画像を出力させる放送波を出力する放送波出力装置と、該放送波出力装置から出力される放送波に係る音声及び／又は画像に関連する関連情報を記録している関連情報装置と、放送波の受信及び通信網を介した前記関連情報装置との通信を行う通信装置と、該通信装置の前記関連情報装置との通信に関する集計処理を行う集計装置とを用いて通信処理及び集計処理を行う通信集計方法であって、前記放送波出力装置は、関連情報の通信網上での位置を指示する第１指示情報を重畳した放送波を出力し、前記通信装置は、受信した放送波に重畳されている第１指示情報に基づいて、前記関連情報装置に関連情報の送信を要求し、前記関連情報装置は、要求に対して、通信網上での前記集計装置との接続に係る位置を指示する第２指示情報を含む関連情報を前記通信装置へ送信し、前記通信装置は、更に、受信した関連情報に含まれる第２指示情報に基づいて、前記集計装置に対する接続処理を行い、前記集計装置は、前記通信装置からの接続状況を記録し、記録した接続状況に基づく集計処理を行うことを特徴とする。
【０００８】
本発明では、例えばチューナ機能付携帯型電話機等の通信装置による第１指示情報及び第２指示情報に基づく接続の状況を集計装置にて集計することにより、放送番組毎、更には放送番組内で演奏される楽曲毎に異なる第１指示情報を付与することができ、通信装置が関連情報を要求した第１指示情報に基づいて、視聴者がどのような放送番組のどのような内容を視聴しているかを容易に把握することが可能である。
【０００９】
第２発明に係る通信集計システムは、音声及び／又は画像を出力させる放送波を出力する放送波出力装置と、該放送波出力装置から出力される放送波に係る音声及び／又は画像に関連する関連情報を記録している関連情報装置と、放送波の受信及び通信網を介した前記関連情報装置との通信を行う通信装置と、該通信装置の前記関連情報装置との通信に関する集計処理を行う集計装置とを備える通信集計システムであって、前記放送波出力装置は、関連情報の通信網上での位置を指示する第１指示情報を重畳した放送波を出力する手段を備え、前記通信装置は、受信した放送波に重畳されている第１指示情報に基づいて、前記関連情報装置に関連情報の送信を要求する手段を備え、前記関連情報装置は、要求に対して、通信網上での前記集計装置との接続に係る位置を指示する第２指示情報を含む関連情報を前記通信装置へ送信する手段を備え、前記通信装置は、更に、受信した関連情報に含まれる第２指示情報に基づいて、前記集計装置に対する接続処理を行う手段を備え、前記集計装置は、前記通信装置からの接続状況を記録する接続記録手段と、記録した接続状況に基づく集計処理を行う集計手段とを備えることを特徴とする。
【００１０】
本発明では、通信装置による第１指示情報及び第２指示情報に基づく接続の状況を集計装置にて集計することにより、放送番組毎、更には放送番組内で演奏される楽曲毎に異なる第１指示情報を付与することができ、通信装置が関連情報を要求した第１指示情報に基づいて、視聴者がどのような放送番組のどのような内容を視聴しているかを容易に把握することが可能である。
【００１１】
第３発明に係る通信集計システムは、第２発明において、前記集計装置が備える集計手段による集計結果に基づき前記通信装置に特典を付与する特典付与手段を更に備えることを特徴とする。
【００１２】
本発明では、特典の付与により、通信装置を操作する視聴者は放送番組を視聴し、また集計装置に接続する動機付けとなる。
【００１３】
第４発明に係る通信集計システムは、第３発明において、前記特典付与手段により付与される特典は、放送波又は関連情報に関連する音楽を出力させる音楽情報の送信の許可であることを特徴とする。
【００１４】
本発明では、視聴者が好んで視聴したと考えられる放送番組に係る放送波等に関連する音楽情報を送信することにより、視聴者の嗜好に合致した特典を付与することとなるので、視聴者が放送番組を視聴し、また集計装置に接続する動機付けとなる。
【００１５】
第５発明に係る通信集計システムは、第２発明乃至第４発明のいずれかにおいて、前記関連情報は、前記第１指示情報が重畳される放送波に係る著作物、著作者又は実演家に対応付けられている提供情報を含むことを特徴とする。
【００１６】
本発明では、例えば放送波に係る放送番組が歌唱曲である場合の楽曲、作曲者又は歌手に関するコンサートの広告等の提供情報を含めることにより、視聴者が好む提供情報を効果的に提供することができるので、広告効果が高く、また視聴者にとっては興味のある情報を入手することが可能である。
【００１７】
第６発明に係る通信集計システムは、第２発明乃至第５発明のいずれかにおいて、前記通信装置は、自機を識別する識別情報を記録する手段を備えた携帯型電話機であり、前記集計装置が備える接続記録手段は、前記通信装置の識別情報に対応付けて、接続回数を記録するように構成してあることを特徴とする。
【００１８】
本発明では、チューナ機能付き携帯型電話機に適用することにより、市場が大きく多大な需要が見込むことが可能である。
【００１９】
第７発明に係る通信集計システムは、第２発明乃至第６発明において、前記集計装置が備える接続記録手段は、前記第１指示情報が重畳される放送波に係る属性毎の接続回数を記録するように構成してあることを特徴とする。
【００２０】
本発明では、集計を細分化することにより、視聴者の嗜好を詳しく把握することが可能である。
【００２１】
第８発明に係る通信集計システムは、第７発明において、前記属性は、放送波に係る著作物、著作者又は実演家であることを特徴とする。
【００２２】
本発明では、集計を細分化することにより、視聴者の嗜好を詳しく把握することが可能である。
【発明の効果】
【００２３】
本発明に係る通信集計方法及び通信集計システムは、テレビ、ラジオ等の放送波にＵＲＬ等の第１指示情報を重畳して放送し、チューナ機能付き携帯型電話機等の通信装置にて受信し、受信した放送波に重畳されている第１指示情報に基づいて関連情報装置に接続し、ウェブページを形成する関連情報を受信する。そして通信装置では受信した関連情報に含まれている第２指示情報に基づいて集計装置に接続し、集計装置では通信装置からの接続に基づく集計処理を行う。
【００２４】
この構成により、例えば放送番組毎、放送番組内で演奏される楽曲毎に重畳する第１指示情報を変更し、放送番組毎に異なる関連情報を関連情報装置から通信装置へ送信することとなり、更に通信装置は、夫々の関連情報に含まれる第２指示情報に基づいて集計装置に接続するので、集計装置の集計結果からは、視聴者がどのような放送番組のどのような内容を試聴しているかを容易に把握することが可能である等、優れた効果を奏する。従って集計装置では、放送番組毎、更に例えば放送番組が楽曲を放送する場合、楽曲である著作物、楽曲の作曲家等の著作者、及び楽曲の歌手毎に集計することも可能であるので、視聴者の嗜好を詳しく把握することが可能となる等、優れた効果を奏する。
【００２５】
また本発明では、集計結果に応じて通信装置に特典を付与することにより、具体的には、視聴者が当該通信装置を用いて視聴した放送番組に関し、特定の歌手についての視聴に基づく集計装置への接続が一定値を超えると判断した場合に、当該歌手の楽曲を出力させる音楽情報の通信装置への送信を許可することにより、視聴者が好んで視聴する歌手の楽曲、即ち嗜好に合致した音楽情報を送信することができるので、視聴者が放送番組を視聴し、また集計装置に接続する動機付けとなり、従って視聴率を向上させることが可能である等、優れた効果を奏する。
【００２６】
さらに本発明では、第１指示情報が重畳される放送波に係る著作物、著作者又は実演家に関する広告を提供情報として関連情報に含ませることにより、例えば放送波に係る放送番組の放送内容が歌唱曲である場合の楽曲、作曲者又は歌手に関するコンサートの広告等の提供情報を含めることにより、視聴者が好む提供情報を効果的に提供することができるので、広告効果が高く、また視聴者にとっては興味のある情報を入手することが可能である等、優れた効果を奏する。
【発明を実施するための最良の形態】
【００２７】
以下、本発明をその実施の形態を示す図面に基づいて詳述する。
【００２８】
図１は、本発明の通信集計方法を概念的に示す説明図である。図１中１は、音声及び／又は画像を出力させる放送波を出力する放送波出力装置であり、放送波出力装置１は、テレビ番組、ラジオ番組等の放送番組を放送する放送局にて管理されている。図１中２は、放送波を受信するチューナ機能を備える携帯型電話機等の通信装置であり、通信装置２は、チューナ機能の他、電話通信機能、及びインターネット等の通信網１００に接続して相互通信を行うデータ通信機能等の各種通信機能を備えている。通信網１００には、ウェブサーバコンピュータを用いた関連情報装置３、集計装置４、特典装置５等の各種装置が接続されている。関連情報装置３は、放送波出力装置１から出力される放送波に係る放送番組又は放送内容に関連する情報を提供する装置である。集計装置４は、通信装置２からの接続状況を計数する装置である。特典装置５は、通信装置２に付与する特典であるＭＩＤＩ(Musical Instrument Digital Interface)等の規格にて規定される着信メロディ等の音楽情報を記録している装置である。
【００２９】
図２は、本発明の通信集計方法に用いられる放送波出力装置１及び通信装置２の構成を示すブロック図である。放送波出力装置１は、放送波として出力する放送情報を記録している記録手段１０と、記録手段１０に記録されている放送情報を放送波として出力する放送波出力手段１１とを備えている。放送波出力装置１から出力される放送波には、送信すべき放送情報の垂直帰線期間、周波数変換した特定の領域等の隙間領域に、通信網１００上での位置を指示するＵＲＬ(Universal Resource Locator)等の第１指示情報が重畳されている。第１指示情報は、放送波に係る音声及び／又は画像、具体的には放送波により放送される放送番組、更には放送番組中に演奏される楽曲等の放送内容に関連する関連情報の記録位置を指示しており、放送番組及び放送内容の切り替わりに伴い重畳される第１指示情報も切り替えられる。
【００３０】
通信装置２は、各種通信処理、音声入出力処理、画像表示処理等の各種処理を制御するＣＰＵ(Central Processing Unit) 等の制御手段２０、各種処理に必要なコンピュータプログラム及びデータ等の情報を記録するＲＯＭ(Read Only Memory)、ＲＡＭ(Random Access Memory)等の記録手段２１を備えている。さらに制御手段２０は、放送波受信、電話通信及びデータ通信を制御する通信制御手段２２を制御し、通信制御手段２２は、放送波を受信し、また電話通信用のデジタル音声情報、ページ記述言語で記述された各種デジタルデータ等の情報を送受信するアンテナ及びその付属回路等の通信手段２３を制御する。なお通信制御手段２２は、受信した放送波に基づき画像及び／又は音声を出力するためのチューナ機能をも備えている。また制御手段２０は、スピーカ等の音声出力手段２４から出力する音声信号及びマイク等の音声入力手段２５から入力される音声信号の変換処理を行う音声処理手段２６を制御する。音声処理手段２６による変換処理とは、音声出力手段２４から出力すべくデジタル信号をアナログ音声信号に変換する処理、及び音声入力手段２５から入力された音声に基づくアナログ音声信号をデジタル信号に変換する処理である。そして通信装置２は、制御手段２０の制御により、英数字、記号、各種命令等のキー入力を受け付ける押釦等のキー入力手段２７から入力を受け付け、キー入力された情報、送受信する情報、放送波に基づく画像等の各種情報を表示する液晶ディスプレイ等の表示手段２８に必要な情報を表示させる。
【００３１】
通信装置２が備える記録手段２１には、Ｃ−ＨＴＭＬ(Compact Hyper-Text Markup Language)、ＭＭＬ(Mobile Markup Language)、ＨＤＭＬ(Handheld Device Markup Language) 等のページ記述言語で記述された各種情報をウェブページとして表示するための閲覧用ソフトウェアプログラム（以下、ブラウザという）が記録されている。また通信装置２が備える記録手段２１には、自機を識別する電話番号等の識別情報が予め記録されている。
【００３２】
図３は、本発明の通信集計方法に用いられる関連情報装置３、集計装置４及び特典装置５の構成を示すブロック図である。関連情報装置３は、装置全体を制御する制御手段３０、各種情報を記録するハードディスク等の記録手段３１、情報を一時的に記憶するＲＡＭ等の記憶手段３２、及び通信網１００に接続する通信手段３３を備えている。関連情報装置３が備える記録手段３１には、ウェブページを出力させるための関連情報としてＣ−ＨＴＭＬ、ＭＭＬ、ＨＤＭＬ等のページ記述言語で記述された各種情報が記録されている。
【００３３】
集計装置４は、制御手段４０、記録手段４１、記憶手段４２及び通信手段４３を備えており、記録手段４１の記録領域の一部は、ウェブページを出力させるためのページ記述言語で記述された各種情報が記録されている。さらに記録手段４１の記録領域の一部は、通信装置２を識別する識別情報に対応付けて、放送波に係る属性毎に、通信装置２からの接続回数を記録する接続回数データベース（接続回数ＤＢ）４１ａとして用いられている。なお記録手段４１の記録領域の一部を接続回数データベース４１ａとして用いるのではなく、集計装置４に接続する他の装置を接続回数データベースとして用いる様にしても良い。放送波に係る属性とは、放送波として出力されている放送番組及び放送内容に関する著作物、著作者、実演家等の属性であり、例えば放送波として出力される放送番組の放送内容が歌唱曲である場合、著作物である楽曲、著作者である作曲家、実演家である歌手が属性となる。
【００３４】
特典装置５は、制御手段５０、記録手段５１、記憶手段５２及び通信手段５３を備えており、記録手段５１には、音楽情報等の様々な情報が記録されている。
【００３５】
次に本発明の通信集計方法に用いられる各種装置の処理について説明する。図４は、本発明の通信集計方法に用いられる放送波出力装置１の放送波出力処理及び通信装置２の放送波受信処理を示すフローチャートである。放送波出力装置１は、第１指示情報を重畳した放送波を放送波出力手段１１から出力する（Ｓ１０１）。
【００３６】
通信装置２は、制御手段２０の制御により、通信手段２３にて放送波を受信し（Ｓ１０２）、受信した放送波に基づく画像を表示手段２８から表示し、放送波に基づく音声を音声出力手段２４から出力する出力処理を行う（Ｓ１０３）。このように通信装置２では、受信した放送波に基づいてテレビ番組、ラジオ番組等の放送番組として出力し、通信装置２を操作する視聴者は出力される放送番組を視聴する。
【００３７】
図５は、本発明の通信集計方法にて用いられる通信装置２が備える表示手段２８から出力される画像を示す説明図である。図５に示す画像は、ラジオ番組である放送番組を視聴している場合に表示される画像を示しており、「８０．ｘＭＨｚ」という画像にて示された放送番組の周波数、「ＣＯＵＮＴ  ＤＯＷＮ  ３０」という画像にて示された放送番組名、「Ｎｏｗ  Ｏｎ  Ａｉｒ」という文言にて示された放送中であることを示す画像、並びに「Ｅ○Ｇ○ＥＳ／ＨＯＴＥＬ」という画像にて示された歌手名（グループ名）及び曲名、即ち実演家名及び著作物名が示されている。更に下方に「＃ボタンで情報サイトへ」という文言が示されている。通信装置２から出力される放送番組を視聴している視聴者は、任意のタイミング、例えば好みの楽曲が出力されている時に、キー入力手段２７から関連情報の送信を要求する所定の入力、ここでは「＃」を示す記号が付された押釦を押下する操作を行うことで、情報サイトとして表示される関連情報の送信を要求することができる。
【００３８】
図６は、本発明の通信集計方法に用いられる通信装置２の関連情報要求処理及び関連情報装置３の関連情報送信処理を示すフローチャートである。通信装置２は、制御手段２０の制御により、キー入力手段２７から関連情報の送信を要求する入力を受け付け（Ｓ２０１）、入力を受け付けた時に受信している放送波から、重畳されている第１指示情報を読み出し（Ｓ２０２）、ブラウザを起動して、読み出した第１指示情報に基づき関連情報の送信を要求する要求情報を、通信手段２３から通信網１００を介して送信する（Ｓ２０３）。第１指示情報により指示されている関連情報は、関連情報装置３に記録されているため、関連情報の送信の要求先は関連情報装置３となる。
【００３９】
関連情報装置３は、制御手段３０の制御により、通信手段３３にて要求情報を受信し（Ｓ２０４）、受信した要求情報が示す要求に対し、記録手段３１に記録している第２指示情報を含む関連情報を、通信手段３３から通信網１００を介して通信装置２へ送信する（Ｓ２０５）。第２指示情報は、集計装置４に接続するためのＵＲＬを示す情報であり、通信装置２へ送信される第２指示情報は、通信装置２からの第１指示情報に基づく要求に応じて決定されるため、第１指示情報が重畳される放送波に基づく放送番組及び放送内容に係る属性毎に異なる情報となる。関連情報は、第１指示情報が重畳される放送波に基づく放送番組及び放送内容に係る著作物、著作者又は実演家に対応付けられている広告等の提供情報を含んでいる。
【００４０】
通信装置２は、制御手段２０の制御により、通信手段２３にて関連情報を受信し（Ｓ２０６）、受信した関連情報に基づくウェブページをブラウザの機能により、表示手段２８から画像として表示する出力処理を行う（Ｓ２０７）。
【００４１】
図７は、本発明の通信集計方法にて用いられる通信装置２が備える表示手段２８から出力される画像を示す説明図である。図７に示す画像は、関連情報に基づいて表示されるウェブページを示しており、「Ｅ○Ｇ○ＥＳ来日公演」という画像にて、第１指示情報が重畳されている放送波に基づく放送番組及び放送内容に係る実演家、ここでは「Ｅ○Ｇ○ＥＳ」に対応付けられた広告を示す提供情報が示されている。その下方には、「公演詳細はこちら」という提供情報の詳細を示すウェブページを表示させるための画像が示されている。更にその下方には、「チケット購入」及び「ＰＯＩＮＴ  ＧＥＴ」と示された画像が表示されている。「チケット購入」及び「ＰＯＩＮＴ  ＧＥＴ」と示された画像は、第２指示情報に対応付けられている。即ち視聴者が、これらの画像を指示する操作を行うことにより、通信装置２は、第２指示情報が指示する集計装置４に接続する処理を開始する。
【００４２】
図８は、本発明の通信集計方法にて用いられる通信装置２の集計装置接続処理及び集計装置４の接続回数記録処理を示すフローチャートである。通信装置２は、制御手段２０の制御により、キー入力手段２７から第２指示情報を指示する操作を受け付け（Ｓ３０１）、第２指示情報に基づいて、通信網１００を介し、集計装置４に対してコネクションを確立する接続処理を行う（Ｓ３０２）。
【００４３】
集計装置４では、制御手段４０の制御により、通信手段４３にて接続を受け付け（Ｓ３０３）、受け付けた通信装置２からの接続に基づいて、接続元の通信装置２の識別情報に対応付けて、第１指示情報が重畳された放送波に係る属性毎の接続状況として接続回数を接続回数データベース４１ａに記録する（Ｓ３０４）。第２指示情報は、放送波に重畳された第１指示情報に応じて決定されるため、視聴者が視聴した放送番組及び放送内容を特定することが可能であり、特定した放送番組及び放送内容の属性、即ち著作物、著作者及び実演家毎の接続回数が接続回数データベース４１ａに記録される。そして接続に係る第２指示情報に応じたウェブページを表示させる情報を集計装置４から通信装置２へ送信する。第２指示情報に応じたウェブページとして、例えば「チケット購入」と示された画像に対応付けられた第２指示情報に応じたウェブページとは、チケットを購入するウェブページであり、「ＰＯＩＮＴ  ＧＥＴ」と示された画像に対応付けられた第２指示情報に応じたウェブページとは、「貴方の有効ポイントは、現在Ｘポイントです。」という情報を表示させるウェブページである。なお「Ｘポイント」のＸには接続状況に基づく数値が示される。なお集計装置４では、接続回数を単純に加算した値を接続回数データベース４１ａに記録するのではなく、例えば通信装置２にて表示される第２指示情報に「ルーレットチャンス」と示した画像を表示し、通信装置２からの接続が確立される毎に乱数を用いて出力したランダムな値を加算するようにしてもよい。
【００４４】
図９は、本発明の通信集計方法にて用いられる通信装置２の特典要求処理、集計装置４の集計処理及び特典装置５の特典送信処理を示すフローチャートである。集計装置４では、制御手段４０の制御により、毎週、毎月、接続回数記録処理実施時等の所定の集計開始条件を満足した場合に、接続回数データベース４１ａに記録している通信装置２の識別情報に対応付けて属性毎に記録されている接続回数を計数し（Ｓ４０１）、接続した回数が所定の回数に到達しているか否かを判定し（Ｓ４０２）、所定の回数に到達していると判定した場合（Ｓ４０２：ＹＥＳ）、所定の回数に到達した通信装置２に特典を付与する処理として、通信網１００上の特典装置５に記録されている音楽情報の送信を要求するためのＵＲＬ等の第３指示情報を含む特典付与情報を、通信手段４３から通信網１００を介して通信装置２へ送信する（Ｓ４０３）。なお計数の仕方は、接続回数の総合計が所定回数に到達、特定の属性に対する接続回数の合計が所定回数に到達等、適宜その条件を設定することが可能であり、また条件に応じて付与する特典を設定することが可能である。ここでは特典の付与として属性に応じた音楽情報、即ち放送波及び関連情報に関連する著作物、著作者又は実演家に関する音楽情報の送信の許可である形態を示す。ステップＳ４０２において、接続した回数が所定の回数に到達していないと判定した場合（Ｓ４０２：ＮＯ）、以降の処理は行わず、処理を終了する。
【００４５】
通信装置２は、制御手段２０の制御により、通信手段２３にて特典付与情報を受信し（Ｓ４０４）、受信した特典付与情報に基づくウェブページをブラウザの機能により、表示手段２８から画像として表示する出力処理を行う（Ｓ４０５）。特典付与情報に基づき表示されるウェブページには、第３指示情報又は第３指示情報に対応付けられた画像が表示されており、視聴者が第３指示情報を指示する操作を行うことにより、通信装置２は、特典装置５に接続して音楽情報の送信を要求する処理を開始する。
【００４６】
通信装置２は、制御手段２０の制御により、キー入力手段２７から第３指示情報を指示する操作を受け付け（Ｓ４０６）、第３指示情報に基づいて、通信網１００を介し、特典装置５に接続して音楽情報の送信を要求する音楽情報送信要求情報を特典装置５へ送信する（Ｓ４０７）。
【００４７】
特典装置５では、制御手段５０の制御により、通信手段５３にて音楽情報送信要求情報を受信し（Ｓ４０８）、受信した音楽情報送信要求情報に基づき、記録手段５１に記録されている音楽情報を、通信手段５３から通信網１００を介して通信装置２へ送信する（Ｓ４０９）。
【００４８】
そして通信装置２は、制御手段２０の制御により、通信手段２３にて音楽情報を受信し（Ｓ４１０）、受信した音楽情報を記録し、また音楽として出力する。
【００４９】
上述した一連の処理により、通信装置２では、放送波を受信し、受信した放送波に重畳された第１指示情報に基づき関連情報を表示させ、関連情報に含まれる第２指示情報に基づき集計装置４にアクセス（接続）し、アクセスした回数に基づく特典として、特典装置５から音楽情報を送信する許可を得ることができる。
【００５０】
前記実施の形態では、関連情報装置、集計装置及び特典装置を夫々異なる装置として示したが、本発明はこれに限らず、これらの装置の内、２台又は３台の装置を１台の装置で実現しても良く、夫々の装置を更に細分化した機能毎の装置としても良い等、運用形態に応じて適宜構成することが可能である。
【００５１】
また前記実施の形態では、ラジオ番組、テレビ番組等の電波である放送波を用いる形態を示したが本発明はこれに限らず、インターネットテレビ等の放送番組に適用することも可能である。
【００５２】
さらに前記実施の形態では、通信装置として携帯型電話機を用いる形態を示したが、本発明はこれに限らず、チューナ機能、データ通信機能を備える様々な装置で実現することが可能である。
【００５３】
そして付与される特典としては、音楽情報等のデジタル情報のオンラインでの提供の許可以外にＣＤ、コンサートチケット等のオフラインでの送付の許可であっても良い等、様々な形態に適用することが可能である。
【図面の簡単な説明】
【００５４】
【図１】本発明の通信集計方法を概念的に示す説明図である。
【図２】本発明の通信集計方法に用いられる放送波出力装置及び通信装置の構成を示すブロック図である。
【図３】本発明の通信集計方法に用いられる関連情報装置、集計装置及び特典装置の構成を示すブロック図である。
【図４】本発明の通信集計方法に用いられる放送波出力装置の放送波出力処理及び通信装置の放送波受信処理を示すフローチャートである。
【図５】本発明の通信集計方法にて用いられる通信装置が備える表示手段から出力される画像を示す説明図である。
【図６】本発明の通信集計方法に用いられる通信装置の関連情報要求処理及び関連情報装置の関連情報送信処理を示すフローチャートである。
【図７】本発明の通信集計方法にて用いられる通信装置が備える表示手段から出力される画像を示す説明図である。
【図８】本発明の通信集計方法にて用いられる通信装置の集計装置接続処理及び集計装置の接続回数記録処理を示すフローチャートである。
【図９】本発明の通信集計方法にて用いられる通信装置の特典要求処理、集計装置の集計処理及び特典装置の特典送信処理を示すフローチャートである。
【符号の説明】
【００５５】
１  放送波出力装置
２  通信装置
３  関連情報装置
４  集計装置
５  特典装置
１００  通信網
【図１】
2006080791.tif 000003
【図２】
2006080791.tif 000004
【図３】
2006080791.tif 000005
【図４】
2006080791.tif 000006
【図５】
2006080791.tif 000007
【図６】
2006080791.tif 000008
【図７】
2006080791.tif 000009
【図８】
2006080791.tif 000010
【図９】
2006080791.tif 000011